(57)【要約】【課題】 コネクタケーブルに引張力が作用すると基板に嵌合接続されたコネクタ部が分離してしまうことがあった。【解決手段】 コネクタ１１ａを介して押し込み操作により嵌合接続されたコネクタケーブル１１を有する基板１０を格納する基板ボックスにおいて、コネクタケーブル１１が引っ張られたときに、コネクタ１１ａが抜けないようにするストッパ３０を設けたため、安心してコネクタケーブル１１に触れることができる。【選択図】図１
2005312994.tif 000002
【特許請求の範囲】
【請求項１】
コネクタ部を介して押し込み操作にて嵌合接続されたコネクタケーブルを有する基板と、上記コネクタケーブルを外部に導出させつつ上記基板を格納するケースと、上記ケースに配設され、外部から上記コネクタケーブルに引張力が作用したときに当該引張力にて上記コネクタ部が分離しないようにするストッパ手段とを具備することを特徴とする遊技機の基板ボックス。
【発明の詳細な説明】
【技術分野】
【０００１】
本発明は、内部に基板を格納する遊技機の基板ボックスに関する。
【背景技術】
【０００２】
従来、この種の遊技機の基板ボックスとして、図１０に示すものが知られている。パチンコ機などの遊技機においては、その遊技を司る基板に不正を行う者が後を絶たず、これを防止するために基板ボックスに同基板を収容するとともに、基板ボックスに封印している。同図において、コネクタケーブル２はコネクタ部２ａとケーブル２ｂとから構成され、基板１上には複数のコネクタケーブル２がコネクタ部２ａを上方から押し込まれて嵌合接続されている。一方、上記基板１を格納するケース３は一対の概略矩形薄皿形の上ケース３ａと下ケース３ｂとから構成され、互いの開口面を対面させつつ合体せしめて形成されるとともに、上ケース３ａと下ケース３ｂの一側壁には幅広の切り欠き３ａ１，３ｂ１がそれぞれ形成されており、互いに合体せしめたとき略矩形状の開口が形成される構成としてある。かかる構成としたケース３に基板１を格納するときは、下ケース３ｂ底面に基板１を寝かせるようにして固定しつつコネクタケーブル２を切り欠き３ｂ１を通して外部に導出する。この後、上ケース３ａの開口面を下ケース３ｂの開口面に対面させつつ覆蓋する。即ち、基板１に接続されたコネクタケーブル２はケース３の側壁に形成された開口を通して外部に導出される。
【０００３】
なお、コネクタ部２ａはケース３内に配置されるが、これは外部との信号をやりとりするコネクタ部２ａに手を加えて不正を行うことを防止するためである。
【発明の開示】
【発明が解決しようとする課題】
【０００４】
上述した従来の遊技機の基板ボックスにおいては、次のような問題点があった。コネクタ部２ａは基板１に押し込まれて嵌合接続されているものであるため例えば図１１に示すように、ケーブルが上方に引っ張られると抜けてしまうことがあった。ケース３には封印を行なうとともに届け出をしているため、抜けてしまった場合は封印紙の張り替えに伴う申請等まで必要となり、煩わしかった。
【０００５】
本発明は、上記問題点にかんがみてなされたもので、外部からケーブルが引っ張られてもコネクタが抜けにくい遊技機の基板ボックスの提供を目的とする。
【課題を解決するための手段】
【０００６】
上記目的を達成するため、請求項１にかかる発明は、コネクタ部を介して押し込み操作にて嵌合接続されたコネクタケーブルを有する基板と、上記コネクタケーブルを外部に導出させつつ上記基板を格納するケースと、上記ケースに配設されて外部から上記コネクタケーブルに引張力が作用したときに当該引張力にて上記コネクタ部が分離しないようにするストッパ手段とを備えた構成としてある。
【０００７】
上記のように構成した請求項１にかかる発明においては、ケース外部に導出されたコネクタケーブルに引張力が作用しても、上記ケースに配設されたストッパ手段により基板に嵌合接続されたコネクタ部が分離しないようにする。
【発明の効果】
【０００８】
本発明によれば、外部からケーブルが引っ張られてもコネクタ部が抜けにくい遊技機の基板ボックスを提供することができる。
【発明を実施するための最良の形態】
【０００９】
以下、図面にもとづいて本発明の実施形態を説明する。図１は、本発明の一実施形態にかかる遊技機の基板ボックスの分解斜視図を示しており、図２は基板の斜視図を示している。
【００１０】
同図において、基板１０上には複数のオス側端子を突出させたオス型コネクタ１１ｂが備えられ、対応するコネクタケーブル１１のメス型コネクタ１１ａが上方から押し込まれて嵌合接続されているとともに、各コネクタ１１ａは長手方向の縁部に一直線に並んで配置されている。なお、これらのコネクタ１１ａはすべてが同じ形状ではなく、幅広のもの、背丈が高いもの等、数種のものが混在している。このように基板１０から突出する方向にメス型コネクタ１１ａが装着される場合、もともと背丈のある部品群に混じって立設されることになるので、基板上での設置面積を小さなものとすることができる。
【００１１】
本実施形態においては、遊技機の制御回路基板を用いているが、かかる基板の対象は必ずしも遊技機の制御回路基板に限定されるものではなく、その他の電気回路基板を適用することも可能であり、適宜変更しても構わない。また、基板１０の側にオス型コネクタ１１ｂを設置し、コネクタケーブル１１の側をメス型コネクタ１１ａとしているが、これらについては逆にすることも可能である。ケース２０は一対の略矩形皿形に形成された金属製の上ケース２０ａと下ケース２０ｂとから構成され、互いの開口面を対面させつつ合体せしめて形成されるとともに、上ケース２０ａと下ケース２０ｂの一側壁面にはそれぞれ幅広の切り欠き２０ａ１，２０ｂ１を形成し、図３に示すように互いに合体せしめたときに略矩形状の開口２１を形成する。かかる構成としたケース２０に基板１０を格納する際は、下ケース２０ｂの底面に基板１０を寝かせるように載置、固定して上記コネクタケーブル１１を切り欠きを通して外部に導出した後、上ケース２０ａにて覆蓋せしめ、さらに、上ケース２０ａと下ケース２０ｂの間に封印紙２２が付される。即ち、コネクタケーブル１１はケース２０の側壁に形成された矩形状の開口２１を通して外部に導出される。
【００１２】
ところで、本実施形態における上ケース２０ａ裏面の所定箇所には、対面する下ケース２０ｂの底面に対して略垂直に延びる板状のストッパ３０が形成されており、上述のように下ケース２０ｂに基板１０を固定した後、かかる上ケース２０ａにて下ケース２０ｂを覆蓋せしめると、図４に示すようにストッパ３０の下端は、基板１０に接続されたコネクタ１１ａの上端に当接して上方から押圧する構成としてある。この状態においては、コネクタケーブル１１に引張力が作用しても、コネクタ１１ａはストッパ３０により上方から押圧されているため抜けることはない。なお、上述の通り本実施形態においては、幅広のもの、背丈が高いもの等、数種のコネクタ１１ａが一直線に並ぶように接続されており、図５に示すように板状のストッパ３０は当接するコネクタ１１ａの形状に合わせて段差が形成され、上ケース２０ａを覆蓋せしめたときにぴったりと各コネクタ１１ａの上端に当接する構成としてある。かかる構成とすることにより、複数の形状の異なるコネクタ１１ａを一枚の板状ストッパ３０により押圧せしめてコネクタ１１ａが抜けるのを防止することができる。
【００１３】
仮にコネクタ１１ａが抜けてしまったときは、ケース２０を開けてコネクタ１１ａを接続しなければならないが、不正な改造が加えられないよう上ケース２０ａと下ケース２０ｂに跨って封印紙２２が付されている。この封印紙２２は一旦剥がされると再度張り付けることはできない性質のものであり、封印紙２２を新たに張り替えるとしても張り替えに伴う申請等も必要となる。しかしながら、上述のようにコネクタ１１ａの抜けを防止できれば、ケース２０を開閉する必要がなくなり、従来のような封印紙２２の張り替えを行う必要もなくなる。
【００１４】
本実施形態においては、上ケース２０ａにて下ケース２０ｂを覆蓋せしめたときに、一枚の板状ストッパ３０により基板１０に嵌合接続されたコネクタ１１ａを上方から押圧せしめているが、少なくともコネクタケーブル１１に引張力が作用したときに、当該引張力によってコネクタ部が分離しないようにするストッパ機構であれば良い。従って、必ずしも上記構成にとらわれる必要はなく、板状のストッパ３０の代わりに突起状のストッパを用いるなど、ストッパの形状に関しては適宜変更しても構わない。ただし、板状のストッパを用いれば、上述のように複数のコネクタが一直線に並んで接続されている場合などはコネクタごとにストッパを設けなくとも、一枚の板状ストッパで複数のコネクタを押圧して抜けないようにすることができる。また、図６に示すように、板状のストッパ３０によりコネクタケーブル１１のケーブル部１１ｃを下方に押さえ込んで、ケース内にてケーブル部１１ｃを概略Ｓ字状に屈曲せしめるものであっても良い。かかる構成とすれば、コネクタケーブル１１に引張力が作用してもケーブル部１１ｃがストッパ３０に引っかかるため、引張力はストッパ３０により吸収されるとともに、コネクタ１１ａを逆に押し込むように作用する。従って、直接コネクタ１１ａに引張力が作用することなく、コネクタ１１ａは抜けにくくなる。
【００１５】
また、上述した実施形態においては基板１０上の長手方向縁部に複数のコネクタ１１ａが上方から押し込まれて嵌合接続されているが、少なくとも押し込み操作にて嵌合接続されるコネクタであれば良く、接続されるコネクタケーブルの数量や大きさ等は特に限定されるものではないし、上方から押し込んで接続されるコネクタケーブルでなくとも、図７に示すような横方向に押し込まれて接続され、後述する開口よりケーブルを引き出されたコネクタケーブルであっても良く、適宜変更しても構わない。例えば、図７に示す横向きに押し込んで接続するコネクタにおいては、図８に示すようにストッパ３０の下端をコネクタ１１ａの挿入方向とは反対側の端部に当接せしめる構成としておけば、コネクタケーブル１１に横方向から引張力が作用してもコネクタ１１ａはストッパ３０に突き当たって抜けることはない。なお、コネクタ１１ａ，１１ｂの配置については、コネクタケーブル１１が外部へ導出されるときにその引っ張り力でコネクタ１１ａ，１１ｂを引き抜こうとするように作用するものにおいて有効である。
【００１６】
さらに、上述した実施形態においては、一対の略矩形皿形の上ケース２０ａと下ケース２０ｂを開口面を対面させつつ合体せしめて矩形箱形のケース２０を形成しているが、必ずしもこの構成にとらわれる必要はなく、少なくとも基板を格納するとともに基板に接続されたコネクタケーブルを外部に導出するケースであれば良い。例えば図９に示すものにおいては、略矩形箱形のケース４０は基板１０をスライドさせて挿入可能な開口４１を有するとともに、開口４１を覆蓋する蓋板５０を有している。この蓋板５０の両端には対面するケース４０の開口面に向けて概ね垂直に延設されるロックアーム５１，５１が形成されており、ケース４０の開口４１を覆蓋せしめたときに、ケース４０の両側壁の開口端よりに形成された四つの楔形係合突起４２と係合する。一方、この箱形ケース４０内側壁面の相対面する壁面上には開口端から奥側に向かって基板１０をスライドさせて挿入可能な一対の溝部４３，４３が形成されているとともに、一方の側壁の中程には開口端から奥方に向かって延びる切り欠き４４が形成されている。かかる構成としたケース４０に上記基板１０を挿入する際は、コネクタケーブル１１を切り欠き４４を通して外部に導出させつつ同基板１０の縁部を溝部４３，４３にスライドさせて挿入する。この後、蓋板５０をケース４０の開口面に対面させつつ押しつけていくと、上記ロックアーム５１，５１は四つの係合突起４２と係合して完全にケース４０の開口４１を覆蓋する。そして、ケース４０と蓋板５０の間に封印紙が付される。
【００１７】
一方、上述の図９に示すものにおいて、ケース４０内部の開口面から奥側に向かう上面には、下面に向けて略垂直に延びる板状のストッパ４５が形成されている。このストッパ４５の高さは基板１０のスライド挿入時に、ちょうどストッパの下端がコネクタ１１ａの上端と擦れ合う程度としてあるため、基板１０の挿入時に邪魔になることはない。なおかつ、一旦基板１０を完全に挿入すればコネクタケーブル１１に引張力が作用してもコネクタ１１ａの上端はストッパ４５の下端に突き当たっているので抜けることはない。
【００１８】
このように、コネクタ１１ａを介して押し込み操作により嵌合接続されたコネクタケーブル１１を有する基板１０を格納する基板ボックスにおいて、コネクタケーブル１１が引っ張られたときに、コネクタ１１ａが抜けないようにするストッパ３０，４５を設けたため、安心してコネクタケーブル１１に触れることができる。特に、コネクタ１１ａを故意に抜いて不正を図ることなどを防止することもできる。
【００１９】
むろん、コネクタの抜けを防止するものとしては、コネクタ部自身に抜け止め構造を備えるものもあるが、本発明においてはケースにストッパ手段を配設して抜け止めを図るので、より確実に抜けを防止することができる。例えば、ケース内にてコネクタ部自身が移動不能となるようにストッパ手段を形成すれば、物理的にコネクタ部が外れることすら不可能となってしまう。また、ケースは必ずしも金属製である必要はなく、全体を樹脂で形成したり、一部を金属製として一部を樹脂とすることもできる。なお、遊技機に使用する制御回路基板を収容する基板ボックスの場合は、内部を透視できる必要があり、金属製の場合はスリット状としたり、窓部を形成して透明の樹脂板を配置したりしている。
【図面の簡単な説明】
【００２０】
【図１】本実施形態にかかる遊技機の基板ボックスの分解斜視図である。
【図２】基板の斜視図である。
【図３】基板ボックスの斜視図である。
【図４】ストッパ機構を示す要部側面図である。
【図５】同要部正面図である。
【図６】変形例にかかるストッパ機構を示す要部側面図である。
【図７】横方向からコネクタを接続した基板の側面図である。
【図８】横方向から接続されたコネクタのストッパ機構を示す要部側面図である。
【図９】変形例にかかる遊技機の基板ボックスの分解斜視図である。
【図１０】従来の遊技機の基板ボックスの分解斜視図である。
【図１１】引張力によりコネクタが抜ける過程を示す同基板ボックスの側面断面図である。
【符号の説明】
【００２１】
１０…基板
１１…コネクタケーブル
１１ａ…コネクタ
２０…ケース
２０ａ…上ケース
２０ｂ…下ケース
２０ａ１，２０ｂ１…切り欠き
２２…封印紙
３０…ストッパ
【図１】
2005312994.tif 000003
【図２】
2005312994.tif 000004
【図３】
2005312994.tif 000005
【図４】
2005312994.tif 000006
【図５】
2005312994.tif 000007
【図６】
2005312994.tif 000008
【図７】
2005312994.tif 000009
【図８】
2005312994.tif 000010
【図９】
2005312994.tif 000011
【図１０】
2005312994.tif 000012
【図１１】
2005312994.tif 000013
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
コネクタ部を介して押し込み操作にて嵌合接続されたコネクタケーブルを有する基板と、
上記コネクタケーブルを外部に導出させつつ上記基板を格納するケースと、
上記ケースに配設され、外部から上記コネクタケーブルに引張力が作用したときに当該引張力にて上記コネクタ部が分離しないように上記コネクタ部における挿入方向とは反対側の端部に当接するストッパ手段とを具備し、
上記ケースは略矩形箱形であって、上記基板をスライド挿入する開口と、内側壁面の相対面する壁面上に形成された開口端から奥側に向かって基板をスライドさせて挿入可能な一対の溝部と、一方の側壁の中程に形成された開口端から奥方に向かって延びる切り欠きと、両端にケースの開口面に向けて概ね垂直に延設されるロックアームが形成され開口を覆蓋する蓋板と、両側壁の開口端よりに形成された四つの楔形係合突起とを有し、
上記ストッパ手段は、ケース内部の開口面から奥側に向かう上面に、ストッパ手段の下端が基板のスライド後にコネクタ部の上端と擦れ合う程度の高さで下面に向けて略垂直に延びる板状に形成され、
コネクタケーブルを上記切り欠きを通して外部に導出させつつ基板の縁部を上記溝部にスライドさせて挿入後、上記蓋板をケースの開口面に対面させつつ押しつけ、上記ロックアームを四つの係合突起に係合させて、ケースの開口を蓋板で覆蓋し、
コネクタ部の上端をストッパ手段の下端に当接させることでコネクタ部の抜けを抑制せしめることを特徴とする遊技機の基板ボックス。
【請求項２】
コネクタ部を介して押し込み操作にて嵌合接続されたコネクタケーブルを有する基板と、
上記コネクタケーブルを外部に導出させつつ上記基板を格納するケースと、
上記ケースに配設され、外部から上記コネクタケーブルに引張力が作用したときに当該引張力にて上記コネクタ部が分離しないように上記コネクタ部における挿入方向とは反対側の端部に当接するストッパ手段とを具備し、
上記ケースは一対の略矩形皿形に形成された上ケースと下ケースとから構成され、互いの開口面を対面させつつ合体せしめて形成され、
上記ストッパ手段は、上ケース裏面の所定箇所に、対面する下ケースの底面に対して略垂直に延びる板状に形成され、
横向きに押し込んで接続するコネクタ部の挿入方向とは反対側の端部をストッパ手段の下端に当接させることでコネクタ部の抜けを抑制せしめることを特徴とする遊技機の基板ボックス。
【手続補正２】
【補正対象書類名】明細書
【補正対象項目名】０００６
【補正方法】変更
【補正の内容】
【０００６】
上記目的を達成するため、請求項１にかかる発明は、コネクタ部を介して押し込み操作にて嵌合接続されたコネクタケーブルを有する基板と、上記コネクタケーブルを外部に導出させつつ上記基板を格納するケースと、上記ケースに配設され、外部から上記コネクタケーブルに引張力が作用したときに当該引張力にて上記コネクタ部が分離しないように上記コネクタ部における挿入方向とは反対側の端部に当接するストッパ手段とを具備し、上記ケースは略矩形箱形であって、上記基板をスライド挿入する開口と、内側壁面の相対面する壁面上に形成された開口端から奥側に向かって基板をスライドさせて挿入可能な一対の溝部と、一方の側壁の中程に形成された開口端から奥方に向かって延びる切り欠きと、両端にケースの開口面に向けて概ね垂直に延設されるロックアームが形成され開口を覆蓋する蓋板と、両側壁の開口端よりに形成された四つの楔形係合突起とを有し、上記ストッパ手段は、ケース内部の開口面から奥側に向かう上面に、ストッパ手段の下端が基板のスライド後にコネクタ部の上端と擦れ合う程度の高さで下面に向けて略垂直に延びる板状に形成され、コネクタケーブルを上記切り欠きを通して外部に導出させつつ基板の縁部を上記溝部にスライドさせて挿入後、上記蓋板をケースの開口面に対面させつつ押しつけ、上記ロックアームを四つの係合突起に係合させて、ケースの開口を蓋板で覆蓋し、コネクタ部の上端をストッパ手段の下端に当接させることでコネクタ部の抜けを抑制せしめる構成としてある。請求項２にかかる発明は、コネクタ部を介して押し込み操作にて嵌合接続されたコネクタケーブルを有する基板と、上記コネクタケーブルを外部に導出させつつ上記基板を格納するケースと、上記ケースに配設され、外部から上記コネクタケーブルに引張力が作用したときに当該引張力にて上記コネクタ部が分離しないように上記コネクタ部の挿入方向とは反対側表面に当接するストッパ手段とを具備し、上記ケースは一対の略矩形皿形に形成された上ケースと下ケースとから構成され、互いの開口面を対面させつつ合体せしめて形成され、上記ストッパ手段は、上ケース裏面の所定箇所に、対面する下ケースの底面に対して略垂直に延びる板状に形成され、横向きに押し込んで接続するコネクタ部の挿入方向とは反対側の端部をストッパ手段の下端に当接させることでコネクタ部の抜けを抑制せしめる構成としてある。
【手続補正３】
【補正対象書類名】明細書
【補正対象項目名】０００７
【補正方法】変更
【補正の内容】
【０００７】
上記のように構成した請求項１にかかる発明においては、ケース外部に導出されたコネクタケーブルに引張力が作用しても、スライド装着された基板上のコネクタ部の上端をケースに配設されたストッパ手段の下端に当接させることにより基板に嵌合接続されたコネクタ部が分離しないようにする。請求項２にかかる発明においては、横向きに押し込んで接続するコネクタ部に引張力が作用しても、当該コネクタ部の挿入方向とは反対側の端部をストッパ手段の下端に当接させることにより基板に嵌合接続されたコネクタ部が分離しないようにする。